(57)【要約】【課題】    アウターウェアとしてもインナーウェアとしても使用でき、かつ、インナーウェアとして使用する際にはアウターウェアを毛皮で装飾できる毛皮付き上衣を提供する。【解決手段】上衣１の上から着用した他の衣服を連結する連結具５を備える身頃部２と、該身頃部の肩に取り付けられた袖部３と、身頃部２の襟から裾にかけて取り付けられた毛皮部４とからなる毛皮付き上衣１において、毛皮部４を、身頃部２の襟２３から側縁下端までに取り付けた毛皮襟部４１と、身頃部２の裾に着脱可能に取り付けた毛皮裾部４２から構成する。【選択図】  図１
0003175124.tif 000002
【実用新案登録請求の範囲】
【請求項１】
前開きの身頃部と、該身頃部の肩に取り付けられた袖部と、身頃部の襟から裾にかけて取り付けられた毛皮部からなる毛皮付き上衣であって、
前記身頃部の側縁には、前記上衣と、該上衣の上から着用した他の衣服を連結する連結具を備え、
前記毛皮部は、身頃部の襟から側縁下端までに取り付けられた毛皮襟部と、身頃部の裾に着脱可能に取り付けられた毛皮裾部からなることを特徴とする、毛皮付き上衣。
【請求項２】
前記袖部は、前記身頃の肩に着脱可能に取り付けられていることを特徴とする、請求項１記載の毛皮付き上衣。
【請求項３】
前記身頃部の裏面に、取り外した前記毛皮部を収納する収容部を備えることを特徴とする、請求項１又は２記載の毛皮付き上衣。
【請求項４】
前記身頃部及び前記袖部が、キルト加工された生地からなることを特徴とする、請求項１〜３のいずれかに記載の毛皮付き上衣。
【考案の詳細な説明】
【技術分野】
【０００１】
本考案は、アウターウェアとしてもインナーウェアとしても使用できる、毛皮付きの上衣に関する。
【背景技術】
【０００２】
従来から、特許文献１のように襟から裾にかけて毛皮部を配したインナーウェアがしられている。このインナーウェアは、アウターウェアとしても使用が可能であるとともに、インナーウェアとして使用する際には身頃と毛皮の間にアウターウェアの縁を挟み込むことでアウターウェアと一体化し、アウターウェアを毛皮によって装飾できるというものである。
【０００３】
しかし、特許文献１のインナーウェアは、アウターウェアを身頃と毛皮で挟み込むことによってこれを固定しているため、激しい運動をした場合や、強風等によってアウターウェアがインナーウェアから分離することがあった。
【０００４】
また、インナーウェアの裾の全周にわたって毛皮が取り付けられており、インナーウェアよりも裾の長いアウターウェアを着用した際には、着用者の腰付近が毛皮によって盛り上がってしまい、外観上の問題となっていた。
【先行技術文献】
【特許文献】
【０００５】
【特許文献１】特開２００８−２４８４６９号公報
【考案の概要】
【考案が解決しようとする課題】
【０００６】
本考案は前述の状況に着目し、アウターウェアとしてもインナーウェアとしても使用でき、かつ、インナーウェアとして使用する際にはアウターウェアを毛皮で装飾できる毛皮付き上衣を提供することを、その課題とするものである。
【課題を解決するための手段】
【０００７】
上記目的を達成することを目的としてなされた本考案の構成は、前開きの身頃部と、該身頃部の肩に取り付けられた袖部と、身頃部の襟から裾にかけて取り付けられた毛皮部からなる毛皮付き上衣であって、前記身頃部の側縁には、前記上衣と、該上衣の上から着用した他の衣服を連結する連結具を備え、前記毛皮部は、身頃部の襟から側縁下端までを覆う毛皮襟部と、身頃部の裾に着脱可能に取り付けられた毛皮裾部からなることを特徴としている。
【０００８】
本考案の毛皮付き上衣は、前記袖部が、前記身頃の肩に着脱可能に取り付けられていると好適である。
【０００９】
本考案の毛皮付き上衣は、前記身頃部の裏面に、取り外した前記毛皮部を収納する収容部を備えていてもよい。
【００１０】
本考案の毛皮付き上衣は、前記身頃部及び前記袖部が、キルト加工された生地からなるようにしてもよい。
【考案の効果】
【００１１】
本考案の毛皮付き上衣によれば、当該毛皮付き上衣はアウターウェアとして使用できるばかりでなく、インナーウェアとしても使用することができ、かつ、インナーウェアとして使用する際には毛皮付き上衣の上から着用したアウターウェアが外れることを防止しつつ、毛皮によって豪華に装飾することができる。
【図面の簡単な説明】
【００１２】
【図１】本考案に係る毛皮付き上衣の実施形態の一例を示す正面図である。
【図２】図１に示す毛皮付き上衣において、袖部と毛皮裾部を取り外した状態を示す正面図である。
【図３】図１に示す毛皮付き上衣に設けた連結具の拡大斜視図である。
【図４】図１に示す毛皮付き上衣の上に着用するアウターウェアの一例を示す正面図である。
【図５】図１に示す毛皮付き上衣の上に、図４に示すアウターウェアを着用した状態を示す正面図である。
【図６】図１に示す毛皮付き上衣の上に着用するアウターウェアの他の一例を示す正面図である。
【図７】図１に示す毛皮付き上衣の上に、図６に示すアウターウェアを着用した状態を示す正面図である。
【考案を実施するための形態】
【００１３】
以下、本考案の実施形態の一例を、図面を参照して説明する。
本考案の実施形態の一例に係る毛皮付き上衣１は、図１に示すように、身頃部２と、袖部３と、毛皮部４から構成される。
【００１４】
身頃部２は、薄手の生地や薄手のキルト中綿入り生地を縫製したもので形成されており、前開きの前身頃２１、２２と、後身頃（図示せず）から構成されている。
袖部３は、身頃部２と同一の生地からなる。また、袖部３は身頃部２とファスナーによって脱着可能に取り付けられており、図２で示すように袖部３を取り外すことで袖の無いベスト状の毛皮付き上衣とすることができる。
【００１５】
毛皮部４は、身頃部２の襟２３の外縁から前身頃２１、２２が対向する側縁の下端まで配置された毛皮襟部４１と、前身頃２１、２２及び後身頃の裾の全周に渡って配置された毛皮裾部４２から構成されている。
毛皮襟部４１は、身頃２の襟から前身頃２１、２２が対向する側縁の下端まで連続して一体化するように取り付けられており、一方で毛皮裾部４２は、前身頃２１、２２及び後身頃の裾側の裏面に複数設けたボタンによって脱着可能に取り付けられている。
この毛皮裾部４２を取り外すことで、本実施例の毛皮付き上衣１を、図２で示すように裾側に毛皮のないものとすることができる。
【００１６】
また、前身頃２１、２２において、毛皮襟部が設けられた縁の近傍には、それぞれ３つずつの連結具５が設けられている。
連結具５は図３に示すように、前身頃２１、２２に縫い付けられる平板状の基盤５１と、基盤５１の一端に回転可能に取り付けた押さえ板５２から構成されている。
基盤５１は正面形状が横向きの大略Ｔ字状をなしており、Ｔ字の頭を形成する部分には縫い付けのための固定孔５１ａが形成され、Ｔ字の脚となる部分にはスプリングとなる舌部５１ｂが設けられている。また、Ｔ字の脚となる部分の両側は直角に切り起こされ、後述の押さえ板を回転可能に支持する軸受け５１ｃとして形成されている。
基盤５１と組み合わされる押さえ板５２は、基盤の軸受け５１ｃに軸支される立壁状の受け部５２ａと、受け部５２ａの端部から湾曲して延びるアーム部５２ｂから構成されている。受け部５２ａは舌部５１ｂを押し下げるように接触しており、舌部５１ｂに弾性を発生させて、アーム部５２ｂと基盤５１の間に後述のジャケット６やブラウス７の身頃の縁を挟むことができる。
【００１７】
また、後身頃の裾側裏面には一部を開口した袋状の収納部（図示しない）が設けられている。毛皮裾部４２を取り外した際には、この収納部に取り外した毛皮裾部４２を収納することができる。
【００１８】
本実施例の毛皮付き上衣1は、例えば図４に示すデニムスーツのジャケット６と一緒に着用される。ジャケット６は左右の前身頃、後身頃、袖、襟を備えており、前身頃の左右の対抗縁同士をホックなどによって止めることができるように形成されている。
【００１９】
毛皮付き上衣１とジャケット６を一緒に着用する際には、図５に示すように、毛皮付き上衣１を着用した上からジャケット６を着用し、毛皮付き上衣１の毛皮襟部４１をジャケット６の外に露出させた上で、連結部５の基盤５１とアーム部５２ｂの間にジャケット６の身頃の縁を挟み込んで連結する。
【００２０】
毛皮部４は上記のとおり、毛皮襟部４１と毛皮裾部４２によって、毛皮付き上衣１の身頃の襟から裾にかけて設けられており、ジャケット６の襟から裾にかけて、縁の全周を毛皮によって装飾された豪華な衣装とすることができる。このとき、毛皮襟部４１は、身頃の襟２３の外縁に設けられており、襟全体を一回り大きなものとしているので、様々な形状、大きさの襟をもつアウターウェアであっても、当該アウターウェアの襟を毛皮襟部４１で覆うことができる。
【００２１】
また、毛皮付き上衣１とジャケット６は連結部によって前身頃２１、２２の対抗縁付近で連結されるので、激しい運動時や強風等による両者の分離を防ぐことができる。この際に、本実施例の連結具５は、舌部５１ｂの弾性によってジャケット６を毛皮付き上衣１に連結する構成によりジャケット６を加工する必要がないので、ジャケット６に限らず、様々なアウターウェアを一緒に着用することができる。
【００２２】
また、パーティなどの会場に行く際には、毛皮付き上衣１を例えば図６に示すブラウス７と一緒に着用される。ブラウス７もジャケット６と同様に左右の前身頃、後身頃、袖、襟を備えており、前身頃の左右の対抗縁同士をホックなどによって止めることができるように形成されている。
【００２３】
毛皮付き上衣１とブラウス７を一緒に着用する場合も、毛皮付き上衣１とジャケット６を一緒に着用する場合と同様に、図７に示すように、毛皮付き上衣１を着用した上からブラウス７を着用し、毛皮付き上衣１の毛皮襟部４１をブラウス７の外に露出させた上で、連結部５によってブラウス７の前身頃を毛皮付き上衣１に連結する。
これにより、ブラウス７を毛皮付き上衣１の毛皮襟部４１及び毛皮裾部４２によって豪華に装飾することができる。
【００２４】
また、ブラウス７のような衣類は薄手生地によって形成されるものが多く、冬場のアウターウェアとしては防寒性が足りないが、本実施例の毛皮付き上衣１と一緒に着用することで、ブラウス７のような薄手生地のアウターウェアを毛皮付き防寒具とすることができる。
このとき、例えばブラウス７の生地が薄く、又は袖が薄いことにより、内側に着用した毛皮付き上衣１の袖の形状が外部から視認できてしまうと美観を損ねる要因となりうるが、本実施例の毛皮付き上衣１を袖部３を取り外してベスト状とし、このベスト状の毛皮付き上衣１と一緒に着用することで、アウターウェアの外観を損なうことなくこれを装飾することができる。
【００２５】
また、ブラウス７の裾が長く、毛皮付き上衣１の毛皮裾部４２を覆うような場合には、毛皮裾部４２が毛皮によって構成されているためにこの箇所が盛り上がり、美観を損ねる要因となりうる。このような場合であっても、毛皮裾部４２を毛皮付き上衣１から取り外すことができるので、毛皮付き上衣１よりも裾の長いアウターウェアを着用する際にも、美観を損ねることなく、アウターウェアを装飾することができる。
【００２６】
なお、本考案の構成は上記実施形態に限られるものではない。
例えば、本実施例では身頃部２及び袖部３を薄手の生地や薄手のキルト中綿入り生地を縫製したもので形成しているが、生地の種類はこれに限られるものではない。また、本実施例では襟２３は、毛皮襟部４１とは異なる素材、加工の毛皮によって形成されてもよく、また、襟２３自体を毛皮襟部４１によって形成してもよい。
連結部５の構成も本実施例の形態に限られるものではなく、同様にアウターウェアを毛皮付き上衣に連結できるものであれば、材質や構造の変更が可能である。
その他具体的構成についても上記の実施例の形態に限られるものではなく、本考案の趣旨を逸脱しない範囲でさまざまな変更が可能である。
【符号の説明】
【００２７】
１          毛皮付き上衣
２          身頃部
２１、２２  前身頃
２３        襟
３          袖部
４          毛皮部
４１        毛皮襟部
４２        毛皮裾部
５          連結部
【図１】
0003175124.tif 000003
【図２】
0003175124.tif 000004
【図３】
0003175124.tif 000005
【図４】
0003175124.tif 000006
【図５】
0003175124.tif 000007
【図６】
0003175124.tif 000008
【図７】
0003175124.tif 000009